(57)【要約】【課題】  複数の回転表示機による表示態様の趣向性や斬新性を向上させることができる遊技機の表示装置を得る。【解決手段】  表表示機２２０Ａ及び裏表示機２２０Ｂが軸線Ｈ２回りに回転すると、各中間ギア２５４が軸線Ｈ２回りに回転移動しながら固定ギア３４６Ａ、３４６Ｂのギア部３４８との噛み合いによって回転し、この中間ギア２５４の回転によって表示体回転ギア２４０と共に、図柄Ｘが設けられた各表示体２５０が軸線Ｈ１回りに回転するよう構成する。図柄Ｘが変動表示される際は、各表示体２５０の自転と、表表示機２２０Ａ及び裏表示機２２０Ｂの回転に伴う各表示体２５０の公転との組み合わせによって向きを変化させるため、例えば、図柄の向きが回転表示機の回転のみで変化する構成等に比べて動きが複雑となる。【選択図】        図５
2006006806.tif 000002
【特許請求の範囲】
【請求項１】
複数の識別情報を変動表示した後に停止表示し、その停止表示された前記複数の識別情報の表示結果が予め定められた特定の組み合わせとなったときに所定の遊技価値が付与される遊技機の表示装置であって、
前記識別情報が設けられた回転体と、
前記回転体をそれぞれ第１回転軸線回りに回転可能に支持する複数の回転表示機と、
前記複数の回転表示機を前記第１回転軸線と略平行な第２回転軸線上に同軸的に配置し前記第２回転軸線回りに個別に回転可能に支持する支持手段と、
前記複数の回転表示機を前記第２回転軸線回りに個別に回転させる駆動手段と、
前記駆動手段により回転される前記回転表示機に連動させて前記回転体を前記第１回転軸線回りに回転させる連動手段と、
を有することを特徴とする遊技機の表示装置。
【請求項２】
前記表示装置は盤面上に遊技領域が設けられた遊技盤の裏面に設けられ、前記回転表示機は前記第２回転軸線を中心軸線としたリング状とされてその中心軸線が前記盤面に対して略直交する向きに配置されていることを特徴とする請求項１記載の遊技機の表示装置。
【請求項３】
前記複数の回転表示機に各々設けられた前記回転体が前記第２回転軸線を中心とする同一円周上に配置されていることを特徴とする請求項１又は請求項２記載の遊技機の表示装置。
【請求項４】
前記回転表示機に前記回転体が複数設けられていることを特徴とする請求項１〜請求項３の何れか１項記載の遊技機の表示装置。
【請求項５】
前記識別情報は、停止表示されたときの向きによって異なる意味を持つ複数種類の情報が表示可能とされていることを特徴とする請求項１〜請求項４の何れか１項記載の遊技機の表示装置。
【請求項６】
リング状とされた前記回転表示機の軸心部と対応する前記表示装置の略中央部に前記第２回転軸線に沿って開口された空洞部が設けられていることを特徴とする請求項２記載の遊技機の表示装置。
【発明の詳細な説明】
【技術分野】
【０００１】
本発明は、複数の識別情報を変動表示した後に停止表示し、その停止表示された複数の識別情報の表示結果が予め定められた特定の組み合わせとなったときに遊技者に有利な特定の遊技状態を発生しうる遊技機の表示装置に関する。
【背景技術】
【０００２】
複数列の可変表示部で図柄等の識別情報を可変表示し、その表示結果（組み合わせ）が予め定められた大当り図柄等の特定の表示結果となったときに大当り遊技等の特定の遊技状態を発生して遊技者に所定の遊技価値を付与する遊技機の表示装置において、上記の可変表示部に円盤状の回転表示機を用いたものとしてはルーレット式表示装置が知られている。
【０００３】
このルーレット式表示装置（入賞装置）で例えばパチンコ機に搭載されるものには、ドーナツ状の中空路を有する回転表示機としてのルーレット盤（支持体）と、中空路内に転動自在に封入された実球（小球体）とを使い、ルーレット盤の回転駆動により実球を中空路内で旋回させた後にルーレット盤を停止させ、実球の停止した位置が予め定められた特定位置である場合に特定の遊技価値を与えるもの（例えば、特許文献１参照）、あるいは、複数の回転表示機の端面に複数種類の図柄（絵柄）を配列した円環状の表示面をそれぞれ形成すると共に、これら表示面を同心円状に配置し、各回転表示機の表示面はそれぞれルーレットの如く互いに独立して回転させ、遊技者が各回転表示機の全ての図柄を目視できるようにしたものがある（例えば、特許文献２参照）。
【特許文献１】実公平６−３６８４９号公報
【特許文献２】特開平７−２０４３１８号公報
【発明の開示】
【発明が解決しようとする課題】
【０００４】
しかしながら、上述した特許文献１の場合、実球をルーレット盤内で旋回させ任意の位置に停止させる構造上、ルーレット盤は水平又は後部側を高くした傾斜状に配置されており、さらにルーレット盤の上側にはルーレット盤をパチンコ機の正面側から目視可能にする大きな空間が設けられているため、装置の奥行き方向及び高さ方向の寸法が大きくなり装置全体が大型化している。また、遊技性を向上するためにルーレット盤に割り振る判定箇所（得点）を増やすような場合には、ルーレット盤が大型化して装置が更に後側へ突出されるため、パチンコ機の裏面側に設ける制御基板や各種部品の大きさ、レイアウト等が制限されてしまう問題がある。また、抽選の表示では、一般的なルーレットと同じく単体のルーレット盤のみの回転であるため動作（表示態様）が単純であり、さらに、実球を使用していることで、パチンコ機を揺らす等の遊技者による不正行為を誘発する恐れもある。
【０００５】
一方、表示面が同心円状に配置された複数の回転表示機を備える特許文献２の表示装置では、各回転表示機の全ての図柄が目視可能で装置全体に占める表示面積が大きくされてはいるが、図柄の組み合わせ確定位置（有効ライン）は上部又は下部の縦ラインに限定されている。そのため、遊技者に注視されるのは有効ラインのみの狭い範囲となり、可変表示部における有効ライン以外の広い範囲が遊技者に注目されない無駄な表示領域となっている。また、各回転表示機の表示面に割り振る図柄の配列数によっては、例えば横ラインや斜めライン等の上記有効ライン以外で当たり図柄が揃うことも予測される。そのような場合には遊技者に不快感を与えてしまい、さらに、数字やマーク等で描かれる実際の図柄が横向きや斜め向きで揃う状態となるため、視覚的印象もよくない。また、抽選の表示については、回転表示機の回転軸線を中心として放射状に配列された各図柄が各回転表示機の回転に伴って単純に回転移動するだけであり、やはり表示態様が単調で趣向性に乏しい。
【０００６】
本発明は上記事実を考慮して、複数の回転表示機による表示態様の趣向性や斬新性を向上させることができる遊技機の表示装置を提供することを課題とする。また、回転表示機を複数搭載しても装置を小型に構成することができる遊技機の表示装置を提供することを課題とする。
【課題を解決するための手段】
【０００７】
上記目的を達成するために請求項１に記載の発明は、複数の識別情報を変動表示した後に停止表示し、その停止表示された前記複数の識別情報の表示結果が予め定められた特定の組み合わせとなったときに所定の遊技価値が付与される遊技機の表示装置であって、前記識別情報が設けられた回転体と、前記回転体をそれぞれ第１回転軸線回りに回転可能に支持する複数の回転表示機と、前記複数の回転表示機を前記第１回転軸線と略平行な第２回転軸線上に同軸的に配置し前記第２回転軸線回りに個別に回転可能に支持する支持手段と、前記複数の回転表示機を前記第２回転軸線回りに個別に回転させる駆動手段と、前記駆動手段により回転される前記回転表示機に連動させて前記回転体を前記第１回転軸線回りに回転させる連動手段と、を有することを特徴としている。
【０００８】
請求項１に記載の発明では、図柄等の識別情報が設けられた回転体は、回転表示機に支持されて第１回転軸線回りに回転可能とされる。この回転体を備えた回転表示機は表示装置に複数設けられ、それら複数の回転表示機は支持手段に支持されて、第１回転軸線と略平行な第２回転軸線上に同軸的に配置され第２回転軸線回りに個別に回転可能とされるため、各回転表示機に設けられた各々の回転体は第２回転軸線回りにも回転可能とされる。
【０００９】
ここで、駆動手段により複数の回転表示機が第２回転軸線回りに個別に回転されると、各回転表示機に設けられた各々の回転体は、第２回転軸線回りに回転移動（公転）しつつ、連動手段によって回転表示機の回転に連動され第１回転軸線回りに回転（自転）し、各回転体に設けられた識別情報はそれぞれ変動表示される。また、駆動手段が停止し各回転表示機が回転停止されると、各回転体は第２回転軸線回りの回転移動及び第１回転軸線回りの回転を停止し、各回転体に設けられた識別情報はそれぞれ停止表示される。
【００１０】
このように、この表示装置では、複数の識別情報が回転体の自転と、回転表示機の回転に伴う回転体の公転との組み合わせによって向き（姿勢）を変化させるため、例えば、識別情報の向きが回転表示機の回転のみで変化する構成等に比べて動きが複雑となり、また、複数の識別情報の組み合わせ確定位置（有効ライン）を設定する上では自由度が高まって、複数の識別情報（回転体）を第２回転軸線回りの回転軌跡（公転軌跡）上におけるより広い範囲で停止させ有効ラインを形成することができるようになり、表示領域を有効に使用することができる。これにより、遊技機の正面に位置して遊技を行う遊技者は、表示装置によって複数の識別情報がそれぞれ公転しつつ自転して複雑に変動表示される様子と、変動表示後の停止表示で形成される有効ラインとを、表示領域の広い範囲で注目するようになり、この表示装置であれば、複数の回転表示機による表示態様の趣向性や斬新性を向上させることができる。
【００１１】
請求項２に記載の発明は、請求項１記載の遊技機の表示装置において、前記表示装置は盤面上に遊技領域が設けられた遊技盤の裏面に設けられ、前記回転表示機は前記第２回転軸線を中心軸線としたリング状とされてその中心軸線が前記盤面に対して略直交する向きに配置されていることを特徴としている。
【００１２】
請求項２に記載の発明では、盤面上に遊技領域が設けられた遊技盤の裏面に表示装置を設ける構成の場合、回転表示機は第２回転軸線を中心軸線としたリング状とすることで、回転表示機を中心軸線方向に薄く形成することができ、さらに、中心軸線が遊技盤の盤面に対して略直交する向きとなるよう回転表示機を配置することにより、遊技盤の裏面側に設ける回転表示機の後側へ突出が抑えられて設置スペースを小さくすることができる。これにより、回転表示機を複数搭載する構成でも表示装置を小型化することができ、例えば、遊技盤の裏面側に設ける制御基板や各種部品の大きさ、レイアウト等に与える影響を小さくすことができる。
【００１３】
請求項３に記載の発明は、請求項１又は請求項２記載の遊技機の表示装置において、前記複数の回転表示機に各々設けられた前記回転体が前記第２回転軸線を中心とする同一円周上に配置されていることを特徴としている。
【００１４】
請求項３に記載の発明では、複数の回転表示機に各々設ける回転体を第２回転軸線を中心とする同一円周上に配置することにより、各回転表示機を同一構成にすることが可能となって製造が容易となる。また、各回転表示機の第２回転軸線を中心とする径方向の寸法が揃えられるため、回転表示機を複数搭載する構成でも回転表示機の径方向における設置スペースを小さくすることができて、表示装置を小型化することができる。
【００１５】
請求項４に記載の発明は、請求項１〜請求項３の何れか１項記載の遊技機の表示装置において、前記回転表示機に前記回転体が複数設けられていることを特徴としている。
【００１６】
請求項４に記載の発明では、１つの回転表示機に回転体を複数設けることにより、少数の回転表示機でも多数の回転体（識別情報）が設けられるようになる。これにより、表示装置を小型に構成しながらも、多数の識別情報を用いて多数種類の有効ラインを形成することができ、有効ラインのパターンを多彩化できる。
【００１７】
請求項５に記載の発明は、請求項１〜請求項４の何れか１項記載の遊技機の表示装置において、前記識別情報は、停止表示されたときの向きによって異なる意味を持つ複数種類の情報が表示可能とされていることを特徴としている。
【００１８】
請求項５に記載の発明では、１つの識別情報により、その識別情報を停止表示させるときの向き（姿勢）を変えることで異なる意味を持つ複数種類の情報を表示できるため、少数の識別情報でも異なる種類の結果をより多く表示できるようになる。これにより、識別情報の表示結果及び有効ラインのパターンを更に多彩化することができる。
【００１９】
請求項６に記載の発明は、請求項２記載の遊技機の表示装置において、リング状とされた前記回転表示機の軸心部と対応する前記表示装置の略中央部に前記第２回転軸線に沿って開口された空洞部が設けられていることを特徴としている。
【００２０】
請求項５に記載の発明では、リング状とされた回転表示機の軸心部と対応する表示装置の略中央部に、第２回転軸線に沿って開口された空洞部を設けることにより、その空洞部に、例えば、表示装置による複数の識別情報の変動及び停止表示後に遊技の最終確定結果を表示する他の表示装置を設けることが可能となる。これにより、表示装置の複数の識別情報によって表示される表示結果（有効ライン）と、表示装置の略中央部に配置される他の表示装置によって表示される表示結果とを組み合わせた、より多彩で趣向性及び斬新性に富んだ表示を行うことができる。
【発明の効果】
【００２１】
本発明の遊技機の表示装置は上記構成としたので、複数の回転表示機による表示態様の趣向性や斬新性を向上させることができる。また、回転表示機を複数搭載しても装置を小型に構成することができる。
【発明を実施するための最良の形態】
【００２２】
以下、本発明の実施形態に係るパチンコ機について図面を参照して説明する。
【００２３】
図１には本発明の一実施形態に係るパチンコ機が示され、図２には本実施形態に係るパチンコ機に適用される内枠、ガラス枠、及び遊技盤が示されている。
【００２４】
図１に示されるように、パチンコ機１０は、パチンコ機１０の外郭を構成するとともにパチンコホールの島設備に設置される矩形状の外枠１２を備えている。外枠１２の前面には矩形額縁状の内枠１４が配置されており（図２参照）、内枠１４は、外枠１２に設けられた一対のヒンジ部１６、１８に左側端部が軸支されて開閉可能に取り付けられている。また外枠１２の前面下部には、化粧パネルとなる下飾り２０が取り付けられている。
【００２５】
内枠１４の前面上部には、ガラス板２２を装着したガラスフレーム２４を窓部２５に備えるガラス枠２６が配置されており、ガラス枠２６は左側端部が内枠１４に軸支されて開閉可能に取り付けられている。また、ガラスフレーム２４に装着されたガラス板２２は、図１の紙面奥行き方向に所定の間隔で互いに平行に配置された一対のガラス板からなる二重構造となっている。このガラス枠２６の裏面側となる内枠１４の上部には、矩形状の開口部２８が設けられている（図２参照）。開口部２８には、交換可能とされた遊技盤１００がセットされており、遊技盤１００は、ガラス枠２６を内枠１４に閉塞した状態でガラス枠２６（ガラス板２２）に覆われるようになっている。
【００２６】
ガラス枠２６の前面には、遊技の進行に応じて点灯又は点滅等し照明による演出効果を生み出す演出用の表示灯１４２がガラス板２２（遊技盤１００の遊技領域１０１）を取り囲むように配置されており、さらに左上隅及び右上隅には、賞球払出エラー及び払出状態エラー等の各種エラーを報知するエラー用の表示灯１４４が配置されている。また、各エラー用の表示灯１４４の内側には、遊技の効果音をステレオ出力するスピーカー１４６Ｌ、１４６Ｒが配設されている。
【００２７】
内枠１４の前面下部には、一般的な上皿及び下皿の機能を兼ね備える打球供給皿としての一体皿３０が配置されている。一体皿３０は、パネル部材３２の左側端部が内枠１４に軸支されて開閉可能に取り付けられており、パネル部材３２の前面には、上部に遊技球を貯える球皿部３４が形成された球皿本体３６が突設されている。
【００２８】
球皿部３４の底面は、正面視にて左側から右側へ下り傾斜しており、その傾斜方向下流側となる左側には、遊技球を１列に整列してパネル部材３２の裏面に配置された球送り装置（図示省略）に送り込むための整列通路が設けられている。パネル部材３２の前面の右側上部には、パチンコ機１０内に設けられた賞球払出装置（図示省略）から払い出された賞球が排出される賞球排出口４６が形成されている。この賞球排出口４６から排出された賞球は球皿部３４に貯留され、球皿部３４内を左方向へ流下し整列通路により１列に整列されて球送り装置に送り込まれる。
【００２９】
また、パネル部材３２の前面における左側下部には灰皿３８が設けられ、右側下部には打球の発射力（飛距離）を調整するための発射ハンドル３９が取り付けられている。
【００３０】
図２に示されるように、内枠１４の前面下部における一体皿３０の裏面側には、遊技盤１００の左下に発射装置４０が配置され、球皿本体３６の後方に位置して、内枠１４に着脱可能に構成された貯球タンク４２が２個のプラスチックファスナー４３によって取り付けられている。これらの発射装置４０及び貯球タンク４２は、一体皿３０を内枠１４に閉塞すると一体皿３０に覆われるようになっている。
【００３１】
貯球タンク４２は、上面が開口した箱型とされ、底面４４が正面視にて左側から右側へ下り傾斜している。底面４４の傾斜方向上流側となる貯球タンク４２の左側面部には図示しないタンク入口が形成され、傾斜方向下流側となる貯球タンク４２の前面右側端部には、一体皿３０のパネル部材３２に設けられた賞球排出口４６と対応する位置にタンク出口４５が形成されている。したがって、一体皿３０を内枠１４に閉塞した状態では、貯球タンク４２と一体皿３０の球皿部３４とが、タンク出口４５及び賞球排出口４６を介して連通される。
【００３２】
また、一体皿３０のパネル部材３２裏面における賞球排出口４６の下方位置と、内枠１４前面の下部右側におけるタンク出口４５の下方位置とには、上下方向に移動可能とされたシャッター板がそれぞれ設けられている（図２では内枠１４側のシャッター板５０のみを図示している）。これらのシャッター板は、一体皿３０が閉塞されると各々下方へ移動して（図２に示したシャッター板５０の位置）、タンク出口４５と賞球排出口４６とを連通させ、一体皿３０が開放されると各々上方へ移動して、内枠１４側のシャッター板５０はタンク出口４５の下縁側を、一体皿３０側のシャッター板は賞球排出口４６の下縁側を塞ぐよう構成されている。このシャッター板により、一体皿３０を開放した際は、貯球タンク４２及び球皿部３４から遊技球（賞球）が流出しないようせき止められる。
【００３３】
内枠１４裏面の左側端部（正面視右側端部）には、上下方向に延出された施錠装置５２が取り付けられている。施錠装置５２の下部にはシリンダー錠（錠前）５４が設けられており、シリンダー錠５４の鍵孔５６は、内枠１４前面の右下部に設けられた台座５５から露出されている。
【００３４】
施錠装置５２の裏面側における上下端部近傍には、後方へ突出された一対の内枠固定用フック６０Ａ、６０Ｂが設けられている。施錠装置５２の前面側におけるガラス枠２６との対応位置には、一対のガラス枠固定用フック６２Ａ、６２Ｂが設けられており、このガラス枠固定用フック６２Ａ、６２Ｂは、内枠１４前面の右側端部に形成されたスリット６４Ａ、６４Ｂを通して前方へ突出されている。また、施錠装置５２の前面側における一体皿３０との対応位置には、上下方向にスライドする一対の一体皿固定用鍵受け部材６６Ａ、６６Ｂが設けられている。
【００３５】
これにより、内枠１４を外枠１２に閉塞すると、施錠装置５２の内枠固定用フック６０Ａ、６０Ｂが外枠１２の正面視右内側面設けられた一対の鍵受け部（図示省略）に係合し、内枠１４は外枠１２に保持される。ガラス枠２６を内枠１４に閉塞すると、ガラス枠２６裏面の右側端部に取り付けられているガラス枠補強板６８に設けられた一対の鍵受け部７０Ａ、７０Ｂが施錠装置５２のガラス枠固定用フック６２Ａ、６２Ｂに係合し、ガラス枠２６は内枠１４に保持される。また、一体皿３０を内枠１４に閉塞すると、一体皿３０裏面の右側端部に取り付けられている一対のフック（図示省略）が施錠装置５２の一体皿固定用鍵受け部材６６Ａ、６６Ｂに係合し、一体皿３０は内枠１４に保持される。
【００３６】
また、内枠固定用フック６０Ａ、６０Ｂ及びガラス枠固定用フック６２Ａ、６２Ｂは、シリンダー錠５４の鍵孔５６に図示しない鍵を差し込んで所定の方向に回すことにより、それぞれ係合状態が解除され解錠されるようになっている。一体皿固定用鍵受け部材６６Ａ、６６Ｂは、ガラス枠２６を開放すると露出される施錠装置５２の解除レバー７２を押し下げることにより、一体皿固定用鍵受け部材６６Ａ、６６Ｂが下方へスライドして一体皿３０の各フックとの係合状態が解除されるようになっている。
【００３７】
この施錠装置５２により、内枠１４は外枠１２に、ガラス枠２６は内枠１４にそれぞれ施錠されるとともに、一体皿３０は内枠１４にロックされて、それぞれ閉塞状態に固定される。
【００３８】
図２に示されるように、遊技盤１００は、装飾画（図示省略）を印刷した樹脂製シート状のセルが基板であるベニヤ板に貼着されてそのセルの表面が盤面１００Ａとなっている。盤面１００Ａの外周端部付近には、円弧状の外レール１０２及び内レール１０４が取り付けられており、これらの外レール１０２、内レール１０４によって囲まれた円形状の領域は、遊技球が移動可能な遊技領域１０１とされている。
【００３９】
遊技領域１０１には、ほぼ中央に表示装置２００及びセンター飾り３６０が配置され、他に、入賞口や始動口（スタート・チャッカー）、又、大入賞口（アタッカー）を備えた変動入賞装置（特別電動役物）等がそれぞれ所定の位置に配置されると共に、遊技領域１０１内を落下する遊技球を所定の経路に誘導する多数の遊技釘等が設けられており（何れも図示省略）、最下位置にアウト口１０６が配置されている。
【００４０】
次に、本実施形態に係るパチンコ機１０の遊技盤１００に搭載された表示装置２００について図２〜図１５を用いて説明する。
【００４１】
図３に示されるように、遊技盤１００の遊技領域１０１におけるほぼ中央には、円形の開口１０８が形成されている。表示装置２００は、この開口１０８に対し所定の位置に位置合わせされて遊技盤１００の裏面１００Ｂに取り付けられており、遊技盤１００の盤面１００Ａには、表示装置２００に対応するセンター飾り３６０が開口１０８及び表示装置２００に対し所定の位置に位置合わせされて取り付けられている（図２及び図４参照）。
【００４２】
図５に示されるように、表示装置２００は、有底で略円筒状とされたケーシング２０２を備えており、ケーシング２０２の内部には、図柄Ｘ（図８及び図９参照）が設けられた表示体２５０を有する表示機２２０（表表示機２２０Ａ及び裏表示機２２０Ｂ）、表示機２２０を回転可能に支持する固定ローラーユニット２６０及び可動ローラーユニット２９０、表示機２２０を回転駆動するベルトドライブ機構３３０、表示機２２０の回転に連動させて表示体２５０を回転させるための固定ギア３４６Ａ、３４６Ｂ等の各部品が収容されてそれぞれ所定の位置に取り付けられている（図３及び図４参照）。
【００４３】
ケーシング２０２は、円形状の底板部２０４、底板部２０４の外周縁に設けられた外筒部２０６、及び、底板部２０４の中央部（軸心部）に外筒部２０６と同軸的に設けられた内筒部２０８を備えており、内筒部２０８は図５に示される前後方向に貫通して空洞部２０９を形成している。
【００４４】
図５及び図８に示されるように、外筒部２０６における下部中央には、周方向に沿った所定の範囲が径方向外側（下方）へ突出された突出部が設けられており、この突出部は、詳細については後述するベルトドライブ機構３３０が取り付けられるドライブ機構取付部２１０とされている。
【００４５】
外筒部２０６における左下部と右下部とには、周方向に沿った所定の範囲が径方向外側に膨出された膨出部がそれぞれ設けられており、これらの膨出部は、詳細については後述する固定ローラーユニット２６０がそれぞれ取り付けられる固定ローラー取付部２１２Ｌ、２１２Ｒとされている。
【００４６】
外筒部２０６における左上部と右上部とにも、周方向に沿った所定の範囲が径方向外側に膨出された膨出部がそれぞれ設けられており、これらの膨出部は、詳細については後述する可動ローラーユニット２９０がそれぞれ取り付けられる可動ローラー取付部２１４Ｌ、２１４Ｒとされている。
【００４７】
また、外筒部２０６の前縁には、固定ローラー取付部２１２Ｌと可動ローラー取付部２１４Ｌとの間、及び、固定ローラー取付部２１２Ｒと可動ローラー取付部２１４Ｒとの間に、円弧状のフランジ２１６Ｌ、２１６Ｒが設けられており、これらのフランジ２１６Ｌ、２１６Ｒには、表示装置２００を遊技盤１００の裏面１００Ｂにネジで取り付けるための取付孔２１８が２個ずつ形成されている。
【００４８】
図６及び図７には、ケーシング２０２内に収容される部品の一部が示されている。図６及び図７に示されるように、本実施形態の表示装置２００は、表側（前側）に配置された表表示機２２０Ａと、裏側（後側）に配置された裏表示機２２０Ｂとの計２個の表示機を備えている。本実施形態では、これらの表表示機２２０Ａ及び裏表示機２２０Ｂは同一構成とされており、以下の表示機の構成に関する説明では、それらを区別せずに表示機２２０として説明する。
【００４９】
図７に示されるように、表示機２２０は、リング状に形成された表示機本体２２２を備えている。表示機本体２２２は、外周面における前端縁部に断面三角形状のガイド突起２２４が周状に設けられ、外周面における後端縁部にフランジ２２６が設けられており、これらのガイド突起２２４及びフランジ２２６によって、表示機本体２２２の外周面には周溝２２８が形成されている（図１２参照）。
【００５０】
表示機本体２２２の内周面における前端縁部には、表示機本体２２２の中心へ向け径方向に沿って突出された平板状の表示体取付部２３０が２個設けられている。これらの表示体取付部２３０は、表示機本体２２２（表示機２２０）の中心軸線である軸線Ｈ２を中心として周方向に１２０度の間隔で配置されており、各表示体取付部２３０には、前面側に凹段部が設けられた段付き孔２３２がそれぞれ形成されている。また、各表示体取付部２３０の基部（接続部）よりも少し外側には、表示機本体２２２の周方向に沿って所定の間隔で配置された一対のピン孔２３４が貫通形成されている。
【００５１】
表示体取付部２３０の段付き孔２３２には、ベアリング２３６がアウターレースを凹段部に嵌入させて取り付けられている。ベアリング２３６のインナーレースには、回転軸２３８が嵌入されており、この回転軸２３８の先端部には、一組の表示体回転ギア２４０及び表示体２５０が表示体取付補助板２４４を間に挟んで取り付けられている。
【００５２】
表示体取付部２３０の表面側に隣接配置される表示体回転ギア２４０は、軸心部に貫通形成された軸孔２４２を回転軸２３８の先端部に嵌入させることにより回転軸２３８に固着され、回転軸２３８及びベアリング２３６に回転可能に軸支されている。
【００５３】
表示体取付補助板２４４は、基端側に、表示機本体２２２のピン孔２３４に対応する一対のピン孔２４６が貫通形成され、先端側に、回転軸２３８に対応する大径の円形孔２４８が貫通形成されている。この表示体取付補助板２４４は、一対のピン孔２４６にそれぞれ図示しないストレートピンの一端部が嵌入され、それらのストレートピンの他端部が表示機本体２２２の一対のピン孔２３４にそれぞれ嵌入されることにより、表示機本体２２２の前面側に表示体取付部２３０と所定の間隔で対向して取り付けられている。
【００５４】
表示機本体２２２と表示体取付補助板２４４との間には、表示体回転ギア２４０よりも小径の中間ギア２５４が配置されている。中間ギアは、軸心部に形成された貫通孔２５６を一方のストレートピンに挿通させることで、一方のストレートピンに回転可能に軸支されており、また、外周面に形成されたギア部２５５が表示体回転ギア２４０の外周面に形成されたギア部２４１に噛み合っている。
【００５５】
表示体取付補助板２４４の表面側に配置される表示体２５０は、円盤状とされており、図８及び図９に示されるように、表面２５０Ａに１つの図柄Ｘが印刷又はシール等によって設けられている。この表示体２５０は、軸心部に形成された軸孔２５２を、表示体取付補助板２４４の円形孔２４８を挿通した回転軸２３８の先端部に嵌入させることにより回転軸２３８に固着され、回転軸２３８を介してベアリング２３６に回転可能に支持されている。また、表示体２５０の中心軸線である軸線Ｈ１は、表示機２２０の軸線Ｈ２と略平行にされている。
【００５６】
表示機２２０は以上の構成とされており、この表示機２２０では、中間ギア２５４が回転されると、その回転駆動力が表示体回転ギア２４０に伝えられ、表示体回転ギア２４０と共に表示体２５０が軸線Ｈ１回りに回転する。
【００５７】
前述したように、本実施形態の表示装置２００には、同一構成の表示機２２０が２個設けられており、これらの表表示機２２０Ａ及び裏表示機２２０Ｂは、図５及び図６に示されるように、２個づつ設けられた固定ローラーユニット２６０及び可動ローラーユニット２９０に支持されて軸線Ｈ２を中心に個別に回転可能とされている。
【００５８】
図６及び図１３に示されるように、固定ローラーユニット２６０は、断面略コ字状に形成されたベース２６２を備えている。ベース２６２の中央部と両側端部には、固定ローラーユニット２６０をケーシング２０２の固定ローラー取付部２１２Ｌ、２１２Ｒに取り付けるための前後方向に貫通された取付孔２６４がそれぞれ形成されており、このベース２６２の前縁部及び後縁部には、同一構成とされた一対のローラーサブユニット２７０が取り付けられている。
【００５９】
ローラーサブユニット２７０は、ベース２６２の縁部に取付固定される取付板２７２を備え、取付板２７２の一端部中央と両側端部には、ベース２６２の各取付孔２６４に対応する取付孔２７４がそれぞれ形成されている。また、取付板２７２の片面（図１３では前面）には、クランク状に屈曲形成されたブラケット２７６がカシメ等で固着されている。
【００６０】
取付板２７２への固着部となるブラケット２７６の基端部は、ベース２６２の中央部分に接合される取付板２７２の一端部近傍に配置され、この基端部の略中央には、取付板２７２の一端部中央に配置された取付孔２７４に対応する取付孔２７８が形成されている。
【００６１】
開放端となるブラケット２７６の先端側と取付板２７２の他端側との間には、ローラー２８０が配置されている。ローラー２８０の外周縁部には、周方向に沿ってＶ溝２８２が形成されており、このローラー２８０は、軸心部に設けられたベアリング２８４を介して軸２８６に回転可能に支持されている。
【００６２】
そしてこの一対のローラーサブユニット２７０は、ベース２６２の前縁部及び後縁部に、それぞれ位置合わせされて同じ向きで取り付けられており、取付状態では、各取付板２７２が対向し略平行に配置されて各ローラー２７０が所定の間隔で同軸的に配置されると共に、ベース２６２の各取付孔２６４に取付板２７２の各取付孔２７４及びブラケット２７６の取付孔２７８が位置合わせされている。
【００６３】
固定ローラーユニット２６０は以上の構成とされており、この固定ローラーユニット２６０は、図１０及び図１１に示されるように、前側に配置されたローラー２８０のＶ溝２８２に、表表示機２２０Ａのガイド突起２２４が嵌め込まれ、後側に配置されたローラー２８０のＶ溝２８２に、裏表示機２２０Ｂのガイド突起２２４が嵌め込まれ、３個の取付孔（取付孔２６４、２７４）に図示しないネジがそれぞれ挿通されて、ケーシング２０２の固定ローラー取付部２１２Ｌ、２１２Ｒに取り付けられている。
【００６４】
図６、図１４及び図１５に示されるように、可動ローラーユニット２９０は、断面略コ字状で、固定ローラーユニット２６０のベース２６２よりも一回り大きく形成されたベース２９２を備えている。ベース２９２の中央部と両側端部には、可動ローラーユニット２９０をケーシング２０２の可動ローラー取付部２１４Ｌ、２１４Ｒに取り付けるための前後方向に貫通された取付孔２９４がそれぞれ形成されており、このベース２９２の前縁部及び後縁部には、同一構成とされた一対の可動ローラーサブユニット３００が取り付けられている。
【００６５】
可動ローラーサブユニット３００は、ベース２９２の縁部に取付固定される取付板３０２を備え、取付板３０２の一端部（図１４及び図１５では下端部）中央と両側端部には、ベース２９２の各取付孔２９４に対応する取付孔３０４がそれぞれ形成されている。また、取付板３０２の片面（図１４及び図１５では前面）には、一側端部（左側端部）近傍にアーム支持軸３０６が立設され、他側端部（右側端部）近傍に、軸心部に貫通孔３０８が形成されたボス３１０が突設されており、この取付板３０２の片面側には、前述の固定ローラーユニット２６０に設けられたものと同一構成のローラーサブユニット２７０が取り付けられたアーム３１２が配置されている。
【００６６】
アーム３１２は、略Ｕ字状とされており、中央部と両端部に、ローラーサブユニット２７０の各取付孔２７４、２７８に対応する取付孔３１４がそれぞれ形成されている。ローラーサブユニット２７０は、各取付孔２７４、２７８がアーム３１２の各取付孔３１４にそれぞれ図示しないネジで固定されることにより、図１４に示されるように、アーム３１２の片面（図１４では前面）に取り付けられている。
【００６７】
また、アーム３１２の一端部（図１４では左端部）には貫通孔３１６が形成されており、この貫通孔３１６を取付板３０２のアーム支持軸３０６に挿入させることで、アーム３１２は一端部がアーム支持軸３０６に支持され、アーム支持軸３０６を中心に揺動可能とされている。そして、ローラーサブユニット２７０のローラー２８０は、アーム支持軸３０６の揺動に伴い、図１４における上下方向（矢印Ａ方向）へ移動する。
【００６８】
また、アーム３１２の他端部（図１４では右端部）には貫通孔３１８が形成されており、この貫通孔３１８と取付板３０２のボス３１０の貫通孔３０８には、引っ張りコイルバネ３２０の両端に設けられたフックが図示しないネジでそれぞれ固定されている。アーム３１２は、他端部と取付板３０２のボス３１０との間に架設された引っ張りコイルバネ３２０のバネ力により他端側が上方へ付勢されるようになっている。
【００６９】
そしてこの一対の可動ローラーサブユニット３００は、ベース２９２の前縁部及び後縁部に、それぞれ位置合わせされて同じ向きで取り付けられており、取付状態では、各取付板３０２が対向し略平行に配置されて各ローラー２７０が所定の間隔で同軸的に配置されると共に、ベース２９２の各取付孔２９４に取付板３０２の各取付孔３０４が位置合わせされている。
【００７０】
可動ローラーユニット２９０は以上の構成とされており、この可動ローラーユニット２９０は、図１０及び図１１に示されるように、前側に配置されたローラー２８０のＶ溝２８２に、表表示機２２０Ａのガイド突起２２４が嵌め込まれ、後側に配置されたローラー２８０のＶ溝２８２に、裏表示機２２０Ｂのガイド突起２２４が嵌め込まれ、３個の取付孔に図示しないネジがそれぞれ挿通されて、ケーシング２０２の可動ローラー取付部２１４Ｌ、２１４Ｒに取り付けられている。
【００７１】
以上により、表表示機２２０Ａ及び裏表示機２２０Ｂは、略同一円周上に略等間隔で配置された２つの固定ローラーユニット２６０及び２つの可動ローラーユニット２９０に挟み込まれて４点で支持され、その状態で同軸的に配置されると共に前後方向に所定の間隔で配列され軸線Ｈ２回りに個別に回転可能とされている。また、表表示機２２０Ａ及び裏表示機２２０Ｂは、下部側が２つの固定ローラーユニット２６０の各ローラー２８０によって固定的に支持されることにより、中心軸線（軸線Ｈ２）がケーシング２０２の中心（内筒部２０８の中心軸線）に一致するよう取付位置が決められており、上部側が２つの可動ローラーユニット２９０の各ローラー２８０によって下方へ押圧されることにより、表示機本体２２２の真円度のばらつき、回転開始時及び停止時の慣性力による真円度の変化や歪み等が吸収され、常に４点での支持状態が保たれて円滑に回転するようになっている。
【００７２】
この表表示機２２０Ａ及び裏表示機２２０Ｂを回転駆動するベルトドライブ機構３３０は、各表示機を個別に回転駆動するための駆動源（駆動手段）として、各表示機に対応する２つのステッピングモーター３３２Ａ、３３２Ｂ、及び、ステッピングモーター３３２Ａ、３３２Ｂの回転力をタイミングベルト３４２Ａ、３４２Ｂを介して各表示機に伝達するプーリー３３６Ａ、３３６Ｂを備えており、それらの各部品はケーシング２０２のドライブ機構取付部２１０の所定位置にそれぞれ取り付けられている。
【００７３】
図７に示されるように、プーリー３３６Ａ、３３６Ｂは、同軸的に配置されると共に前後方向に表表示機２２０Ａ及び裏表示機２２０Ｂの間隔と略等間隔で配列されてユニット化されており、その状態で個別に回転可能とされている。このユニット化されたプーリー３３６Ａ、３３６Ｂは、ドライブ機構取付部２１０の略中央部に取り付けられて表表示機２２０Ａ及び裏表示機２２０Ｂのほぼ真下に配置されており、プーリー３３６Ａの周溝３３８Ａと表表示機２２０Ａの表示機本体２２２の周溝２２８との間、及び、プーリー３３６Ｂと裏表示機２２０Ｂの表示機本体２２２の周溝２２８との間には、無端状のタイミングベルト３４２Ａ、３４２Ｂが巻き掛けられている。
【００７４】
ステッピングモーター３３２Ａ、３３２Ｂは、プーリー３３６Ａ、３３６Ｂを挟んだドライブ機構取付部２１０の左右側部に取り付けられており、ステッピングモーター３３２Ａの回転軸先端部に取り付けられた駆動ギア３３４Ａはプーリー３３６Ａのギア部３４０Ａに噛み合い、ステッピングモーター３３２Ｂの回転軸先端部に取り付けられた駆動ギア３３４Ｂはプーリー３３６Ｂのギア部３３４Ｂに噛み合っている。
【００７５】
これにより、ステッピングモーター３３２Ａ、３３２Ｂが作動して駆動ギア３３４Ａ、３３４Ｂを回転駆動させると、プーリー３３６Ａ、３３６Ｂが回転しその回転力はタイミングベルト３４２Ａ、３４２Ｂを介して表表示機２２０Ａ及び裏表示機２２０Ｂに伝達され、表表示機２２０Ａ及び裏表示機２２０Ｂが軸線Ｈ２回りに回転する。
【００７６】
また、ケーシング２０２内には、図６に示されるように、表表示機２２０Ａ及び裏表示機２２０Ｂの回転位置を検出するセンサ３４４Ａ、３４４Ｂ、及び、表表示機２２０Ａ及び裏表示機２２０Ｂの回転に連動させて各表示体２５０を回転させるための固定ギア３４６Ａ、３４６Ｂが取り付けられている。
【００７７】
センサ３４４Ａ、３４４Ｂは、各表示機の表示機本体２２２のフランジ２２６に対応して配置され（センサ３４４Ａについては図５参照）、各表示機の回転時にフランジ２２６に形成されたスリット等の図示しない検出部を検出してその検出信号をパチンコ機１０内の制御部に出力する。この検出信号に基づいて、制御部は各表示機の原点位置を把握し、ステッピングモーター３３２Ａ、３３２Ｂを制御する。
【００７８】
固定ギア３４６Ａ、３４６Ｂは、表示機本体２２２とほぼ同じ大きさのリング状で、内周縁にギア部３４８が形成された内歯車に構成され、外周縁における上下左右の各部には径方向外側へ突出された取付部３５０がそれぞれ設けられている。これらの取付部３５０がそれぞれスペーサー３５２Ａ、３５２Ｂを介してケーシング２０２に取り付けられることにより、固定ギア３４６Ａ、３４６Ｂは、表表示機２２０Ａ及び裏表示機２２０Ｂの軸線Ｈ２と略同軸的に配置されると共に互いに前後方向に所定の間隔で配列されている。また、その取付状態では、固定ギア３４６Ａのギア部３４８が表表示機２２０Ａの２つの中間ギア２５４に噛み合い、固定ギア３４６Ｂのギア部３４８が裏表示機２２０Ｂの２つの中間ギア２５４に噛み合っている。
【００７９】
これにより、表表示機２２０Ａ及び裏表示機２２０Ｂが軸線Ｈ２回りに回転すると、各中間ギア２５４が軸線Ｈ２回りに回転移動しながら固定ギア３４６Ａ、３４６Ｂのギア部３４８との噛み合いによって回転し、この中間ギア２５４の回転によって、前述したように表示体回転ギア２４０と共に表示体２５０が軸線Ｈ１回りに回転する。また、本実施形態では、表示機２２０の回転方向と各表示体２５０の回転方向とは同じ方向になり、例えば、表示機２２０が時計方向に回転（正転）する場合には、表示体２５０も時計方向に回転する。
【００８０】
本実施形態の表示装置２００は以上の構成とされており、この表示装置２００は、軸線Ｈ２（表表示機２２０Ａ及び裏表示機２２０Ｂの中心軸線）が開口１０８の中心と一致するよう位置決めされると共に、遊技盤１００の裏面１００Ｂにケーシング２０２のフランジ２１６Ｌ、２１６Ｒがネジ止めされて取り付けられており、その取付状態では、軸線Ｈ２が遊技盤１００の盤面１００Ａに対して略直交している。
【００８１】
遊技盤１００の盤面１００Ａに取り付けられるセンター飾り３６０は、図３に示されるように、開口１０８よりも一回り大きい円盤状とされ、その中心部に、表示装置２００の空洞部２０９に対応する円形孔３６２が形成されている。円形孔３６２の外側には、円形孔３６２を中心とする円周に沿って湾曲された一対の楕円孔３６４Ｌ、３６４Ｒが円形孔３６２を挟んだ左右対称位置に形成されており（図８参照）、この一対の楕円孔３６４Ｌ、３６４Ｒは、各表示体２５０の軸線Ｈ２回りの回転軌跡に対応して所定の範囲が開口されている。そしてこのセンター飾り３６０は、円形孔３６２の中心が遊技盤１００の開口１０８の中心及び表示装置２００に設けられた表表示機２２０Ａ及び裏表示機２２０Ｂの中心軸線（軸線Ｈ２）と一致するよう位置決めされ、図２に示されるように、遊技盤１００の盤面１００Ａに取り付けられている。
【００８２】
以上の構成により、遊技盤１００には表示装置２００及びセンター飾り３６０が取り付けられており、この遊技盤１００を備える本実施形態のパチンコ機１０では、遊技時に、例えば、始動口への入賞等を契機として制御部で抽選処理が実行される。さらに、制御部に制御されてベルトドライブ機構３３０のステッピングモーター３３２Ａ、３３２Ｂが回転駆動すると、表表示機２２０Ａ及び裏表示機２２０Ｂが回転され、各表示体２５０は軸線Ｈ２回りに回転移動（公転）しつつ軸線Ｈ１回りに回転（自転）し、各表示体２５０に設けられた図柄Ｘはそれぞれ変動表示される。また、抽選結果に基づき制御部に制御されて、ステッピングモーター３３２Ａ、３３２Ｂが駆動停止すると、表表示機２２０Ａ及び裏表示機２２０Ｂが回転停止され、各表示体２５０は軸線Ｈ２回りの回転移動及び軸線Ｈ１回りの回転を停止し、各表示体２５０に設けられた図柄Ｘはそれぞれ停止表示される。      
【００８３】
そして、パチンコ機１０の正面に位置して遊技を行う遊技者は、表示装置２００により各図柄Ｘが変動及び停止表示される様子を、センター飾り３６０の楕円孔３６４Ｌ、３６４Ｒを通して目視し、停止表示された各図柄Ｘの表示結果（組み合わせ）が予め定められた大当り図柄等の特定の表示結果となったとき（例えば、４つの図柄Ｘのうちの２つが同じ図柄（例えば、「７、７」）となって揃ったときなど）には、パチンコ機１０により大当り遊技等の特定の遊技状態が発生されて遊技者に所定の遊技価値が付与される。
【００８４】
また、本実施形態の表示装置２００では、装置の略中央部に設けられた空洞部２０９に、例えば、表示装置２００による４つの図柄Ｘの変動及び停止表示後に遊技の最終確定結果（図柄等）を表示する７セグメント表示器等の他の表示装置を設けることも可能である。このように、遊技の最終確定結果を表示する他の表示装置を組み合わせた場合には、表示装置２００により停止表示された各図柄Ｘの表示結果が、有効ライン上で、予め定められたリーチ図柄等の特定の表示結果となり（例えば、４つの図柄Ｘのうちの２つが有効ライン上で同じ図柄（例えば、「７、７」）となって揃ったときなど）、その後に、他の表示装置により表示された表示結果が予め定められた特定の表示結果となったとき（例えば、有効ライン上で揃っている２つの図柄と同じ図柄が表示され、３つの図柄が全て同じ図柄（例えば、「７、７、７」）となって揃ったときなど）に、パチンコ機１０により大当り遊技等の特定の遊技状態を発生して遊技者に所定の遊技価値を付与することもできる。
【００８５】
次に、本実施形態の表示装置２００による図柄の変動及び停止表示、有効ラインの設定方法について図１６〜図２１を用いて説明する。
【００８６】
図１６には、表示装置２００における図柄Ｘ（表示体２５０）が停止して表示される位置（停止位置）が模式的に示されており、ここでは、時計の指標と同様に、図柄Ｘの回転移動軌跡上に３０度間隔で割り当てた図中の「１〜１２」で示される１２箇所に設定されている。なお、本実施形態の表示装置２００では、センター飾り３６０が存在しない場合には全ての停止位置（１２箇所）で図柄Ｘが表示可能となり、ここでは、この図柄Ｘが表示可能な領域を「図柄表示領域Ｚ」と呼ぶ。
【００８７】
図柄Xについては、停止表示されたときの向きによって異なる意味を持つ複数種類の情報が表示可能なものを採用しており、ここでは、図１７に示されるように、図１７（Ａ）の向きでは「Ｗ」となり、図１７（Ａ）とは逆さまの図１７（Ｂ）の向きでは「Ｍ」となる図柄Ｘ１と、図１７（Ａ）の向きでは「ｐ」となり、同じく図１７（Ｂ）の向きでは「ｄ」となる図柄Ｘ２とが、表示機２２０の２つの表示体２５０にそれぞれ設けられている。なお、ここでは、図柄Ｘ１、Ｘ２が図１７（Ａ）の向きで表示される場合を「正表示」、図１７（Ｂ）の向きで表示される場合を「逆表示」と呼ぶ。
【００８８】
また、表示体２５０は、表示機２２０が３０度正転すると自転のみで１５０度正転（自転＋公転で１８０度正転）し、表示機２２０が１回転（３６０度正転）すると自転のみで５回転（自転＋公転で６回転）するよう設定されている。この場合、表示体回転ギア２４０と固定ギア３４６（３４６Ａ、３４６Ｂ）のギア比は１：５に設定すればよく、例えば、表示体回転ギア２４０の歯数を４０とすれば、固定ギア３４６の歯数を２００とすることにより、上記のギア比を満足することができる。なお、本実施形態の表示装置２００では、表示体回転ギア２４０と固定ギア３４６の間に中間ギア２５４を設けることで、表示機２２０と表示体２５０とを同方向に回転させる（例えば、表示機２２０が正転するときは表示体２５０も正転させる）よう構成しているが、この中間ギア２５４の歯数は上記のギア比に影響しないため、任意に設定することができる。
【００８９】
以上の設定において、まず、図１８（Ａ）に示されるように、図柄Ｘ１が図柄表示領域Ｚの１０時の位置で正表示（「Ｗ」）され、図柄Ｘ２が図柄表示領域Ｚの２時の位置で正表示（「ｐ」）される場合を表示機２２０の初期状態とする。
【００９０】
この初期状態から表示機２２０が３０度正転すると、各表示体２５０が軸線H２を中心として右回りに３０度回転移動（公転）しつつ軸線H１を中心として１５０度正転（自転）し、図１８（Ｂ）に示されるように、図柄Ｘ１は１１時の位置に移動し、図柄Ｘ２は３時の位置に移動して、それぞれ逆表示される。さらに、その位置から表示機２２０が３０度正転すると、図１８（Ｃ）に示されるように、図柄Ｘ１は１２時の位置に移動し、図柄Ｘ２は４時の位置に移動して、それぞれ正表示に戻る。以後同様に、表示機２２０が３０度ずつ正転する度に、図柄Ｘ１、Ｘ２は右回りに３０度ずつ回転移動しながら逆表示及び正表示を繰り返し、表示機２２０が１回転すると図１８（Ａ）に示される初期状態に戻る。
【００９１】
このように、この表示機２２０では、図柄Ｘ１、Ｘ２は、図柄表示領域Ｚの偶数位置で停止したときに正表示され、奇数位置で停止したときに逆表示される。
【００９２】
また、上記例の表示機２２０と同様の構成で、図１８（Ｄ）に示されるように、図柄Ｘ１が図柄表示領域Ｚの４時の位置で正表示（「Ｗ」）され、図柄Ｘ２が図柄表示領域Ｚの８時の位置で正表示（「ｐ」）される場合を初期状態とした表示機２２０の場合も、図柄Ｘ１、Ｘ２は、図柄表示領域Ｚの偶数位置で停止したときに正表示され、奇数位置で停止したときに逆表示される。
【００９３】
そして、この２種類の表示機２２０を上述した表表示機２２０Ａ及び裏表示機２２０Ｂに割り当てると、例えば、図１８（Ａ）を表表示機２２０Ａとし、図１８（Ｄ）を裏表示機２２０Ｂとすると、各図柄X１、X２の組み合わせ確定位置となる有効ラインには、表表示機２２０Ａ及び裏表示機２２０Ｂの各図柄Ｘ１、Ｘ２が図柄表示領域Ｚの偶数位置で停止した状態、又は、各図柄Ｘ１、Ｘ２が奇数位置で停止した状態の表示結果を用いることができる。
【００９４】
なお、上記の設定では、表表示機２２０Ａの図柄Ｘ１、Ｘ２と裏表示機２２０Ｂの図柄Ｘ１、Ｘ２とが停止位置で重ならず、全て（４つ）の図柄Ｘ１、Ｘ２が表示される場合には、図柄Ｘ１同士と図柄Ｘ２同士とがそれぞれ揃ったダブルの大当り表示、又は、図柄Ｘ１同士によるリーチと図柄Ｘ２同士によるリーチとがダブルで揃ったダブルリーチ表示となり、同じ種類の図柄同士が停止位置で重なった場合には、図柄Ｘ１同士及び図柄Ｘ２同士の何れかが揃った大当り表示、又は、図柄Ｘ１同士によるリーチ及び図柄Ｘ２同士によるリーチの何れかによるシングルリーチ表示となる。例えば、表表示機２２０Ａ及び裏表示機２２０Ｂの図柄Ｘ１（「Ｗ／Ｍ」）同士が重なると、重ならずに表示される２つの図柄Ｘ２（「ｐ／ｄ」）により大当り表示又はシングルリーチ表示となる。また、異なる種類の図柄同士が重なった場合には大当りやリーチは発生せず、例えば、表表示機２２０Ａの図柄Ｘ１（「Ｗ／Ｍ」）と裏表示機２２０Ｂの図柄Ｘ２（「ｐ／ｄ」）とが停止位置で重なると大当りやリーチにはならない。
【００９５】
図１９には、大当り又はリーチの発生率を変更する方法の一例が示されている。
【００９６】
図１９（Ａ）は、図１８（Ａ）、（Ｄ）に示した２種類の表示機２２０を表表示機２２０Ａ及び裏表示機２２０Ｂに用いた場合に、表表示機２２０Ａの図柄Ｘ１又は図柄Ｘ２と、裏表示機２２０Ｂの図柄Ｘ１又は図柄Ｘ２とが、図柄表示領域Ｚに１２箇所設定された停止位置のうちの軸線Ｈ２を中心とする対象位置で停止された組み合わせのみを有効ラインとして採用した例である。この有効ラインを直線状とした例では、有効ラインが６本（Ｌ１〜Ｌ６）に設定され大当り又はリーチの発生率が低くされる。
【００９７】
図１９（Ｂ）は、図１８（Ａ）に示した表示機２２０において、ステッピングモーターの回転ステップを１／２にし、表示機２２０を１５度の回転角度毎に停止させるようにして、図柄Ｘ１、Ｘ２の停止位置を２倍の２４箇所に設定した例である。この場合は、停止表示される図柄Ｘ１、Ｘ２の向きは４通りになり、このようにすることで、大当り又はリーチの発生率を変更することもできる。
【００９８】
図１９（Ｃ）は、図１９（Ａ）に示した直線状の有効ラインに、前述したセンター飾り３６０を組み合わせた例である。この例では、図柄表示領域Ｚにおける２〜４の停止位置がセンター飾り３６０の楕円孔３６４Ｒから視認でき、また、図柄表示領域Ｚにおける８〜１０の停止位置がセンター飾り３６０の楕円孔３６４Ｌから視認できる。したがって、楕円孔３６４Ｌ、３６４Ｒを通して視認することができるできる計６箇所の停止位置の組み合わせにより直線状の３本の有効ライン（Ｌ３〜Ｌ５）が設定され、大当り又はリーチの発生率が図１９（Ａ）の場合の１／２にされる。
【００９９】
図２０には、図柄Ｘ１、Ｘ２の変動表示を変更する例が示されている。
【０１００】
図２０（Ａ）は、上述した表表示機２２０Ａ及び裏表示機２２０Ｂのように、表示体２５０を表示機２２０の回転方向を同じ方向へ回転させて図柄Ｘ１、Ｘ２を変動表示する例であり、図２０（Ｂ）は、表示体２５０を表示機２２０の回転方向とは逆方向へ回転させて図柄Ｘ１、Ｘ２を変動表示する例である。図柄Ｘ１、Ｘ２をこのように変動表示させるには、例えば、中間ギア２５４を設けず表示体回転ギア２４０を固定ギア３４６に直接噛み合わせるよう構成する、あるいは、中間ギアを２枚にするなどにより容易に実現することができる。
【０１０１】
図２１（Ａ）には、図柄Ｘ１（「Ｗ／Ｍ」）及び図柄Ｘ２（「ｐ／ｄ」）の他に、停止表示されたときの向きによって異なる意味を持つ複数種類の情報が表示可能な図柄の例が示されている。このような図柄には、図示のような「７／Ｌ」、「６／９」、「Λ／Ｖ」等を用いることができる。
【０１０２】
また、上述した図柄Ｘ１については、図柄をデフォルメすることにより、図２１（Ｂ）に示されるように、「Ｗ」、「Ｅ」、「Ｍ」、「３」の４種類の情報を表示することも可能である。
【０１０３】
次に、以上説明した本実施形態に係る表示装置２００の作用について説明する。
【０１０４】
本実施形態の表示装置２００では、４つの図柄Ｘが変動表示される際は、上述したように、各表示体２５０の自転と、表表示機２２０Ａ及び裏表示機２２０Ｂの回転に伴う各表示体２５０の公転との組み合わせによって向きを変化させるため、例えば、図柄の向きが回転表示機の回転のみで変化する構成等に比べて動きが複雑となる。また、４つの図柄Ｘの組み合わせ確定位置（有効ライン）を設定する上では自由度が高まって、４つの図柄Ｘを軸線Ｈ２回りの回転軌跡（公転軌跡）上におけるより広い範囲で停止させ有効ラインを形成することができるようになり、図柄表示領域Ｚを有効に使用することができる。そして、パチンコ機１０の正面に位置して遊技を行う遊技者は、表示装置２００によって４つの図柄Ｘがそれぞれ公転しつつ自転して複雑に変動表示される様子と、変動表示後の停止表示で形成される有効ラインとを、図柄表示領域Ｚの広い範囲で注目するようになり、これにより、複数の表示機２２０（表表示機２２０Ａ及び裏表示機２２０Ｂ）による表示態様の趣向性や斬新性を向上させることができる。
【０１０５】
また、遊技盤１００の裏面１００Ｂに表示装置２００を設けた本実施形態では、表表示機２２０Ａ及び裏表示機２２０Ｂは軸線Ｈ２を中心軸線としたリング状としていることにより、各表示機を中心軸線方向に薄く形成することができており、さらに、中心軸線が遊技盤１００の盤面１００Ａに対して略直交する向きとなるよう各表示機を配置していることにより、遊技盤１００の裏面１００Ｂ側に設ける各表示機の後側へ突出が抑えられて設置スペースを小さくすることができている。これにより、表示機を複数搭載する構成でも表示装置２００を小型化することができており、遊技盤１００の裏面１００Ｂ側に設ける制御基板や各種部品の大きさ、レイアウト等に与える影響を小さくすことができる。
【０１０６】
また、本実施形態では、表表示機２２０Ａ及び裏表示機２２０Ｂにそれぞれ設けた２つの表示体２５０を軸線Ｈ２を中心とする同一円周上に配置していることにより、各表示機を同一構成にすることができて製造が容易となる。また、各表示機の径方向の寸法が揃えられるため、表示機を複数搭載する構成でも各表示機の径方向における設置スペースを小さくすることができ、表示装置２００を小型化することができている。
【０１０７】
また、本実施形態では、１つの表示機２２０に表示体２５０を２つ設けていることにより、２つの表示機２２０でも計４つの表示体２５０（図柄Ｘ）が設けられ、これにより、表示装置２００を小型に構成しながらも、４つの図柄Ｘを用いて多数種類の有効ラインを形成することができ、有効ラインのパターンを多彩化できている。
【０１０８】
また、本実施形態では、１つの図柄Ｘ（図柄Ｘ１、Ｘ２）により、その図柄Ｘを停止表示させるときの向きを変えることで異なる意味を持つ複数種類の情報を表示できるため、少数の図柄Ｘでも異なる種類の結果をより多く表示できるようになる。これにより、図柄Ｘの表示結果及び有効ラインのパターンを更に多彩化することができる。
【０１０９】
また、本実施形態では、リング状とされた表表示機２２０Ａ及び裏表示機２２０Ｂの軸心部と対応する表示装置２００（ケーシング２０２）の略中央部に、軸線Ｈ２に沿って開口された空洞部２０９を設けていることにより、その空洞部２０９に、例えば、表示装置２００による４つの図柄Ｘの変動及び停止表示後に遊技の最終確定結果を表示する他の表示装置、例えば、７セグメント表示器や液晶表示器等の電気的表示装置、あるいは、ドラムや球体等の回転表示機を用いた機械的表示装置等を設けることが可能となる。これにより、表示装置２００の４つの図柄Ｘによって表示される表示結果（有効ライン）と、表示装置２００の略中央部に配置される他の表示装置によって表示される表示結果とを組み合わせた、より多彩で趣向性及び斬新性に富んだ表示を行うことができる。
【０１１０】
以上、本発明を上述した特定の実施形態により詳細に説明したが、本発明はそれに限定されるものではなく、本発明の範囲内にて他の種々の実施形態が可能である。
【０１１１】
例えば、上述した実施形態では、表示機２２０を２つとし、各表示機２２０には表示体２５０を２つずつ設けた構成としたが、表示機２２０及び表示体２５０の数はこれらに限定されず、表示機２２０を３つ以上とする、あるいは、各表示機２２０に表示体２５０を１つ又は３つ以上設けて図柄Ｘの数を増減することも可能である。また、上述した実施形態のように、図柄Ｘを計４つとする場合では、表示体２５０を１つづ設けた表示機２２０を４つ搭載し、各図柄Ｘを個別に変動表示させるようなこともできる。
【０１１２】
また、上述した実施形態では、センター飾り３６０を設けて表示装置２００の図柄表示領域Ｚにおける視認可能範囲を縮小することにより、有効ラインの数を減らして大当り又はリーチの発生率を抑えるようにしているが、センター飾り３６０に形成する楕円孔３６４Ｌ、３６４Ｒの形状を大きくする、あるいは、センター飾り３６０を取り除く等により、有効ラインの数を増やして大当り又はリーチの発生率をアップさせることも可能である。また、このセンター飾り３６０の場合、例えば半透明等として、楕円孔３６４Ｌ、３６４Ｒ以外の領域でも図柄Ｘが変動表示される様子を少し視認できるようにしてもよく、その場合には、楕円孔３６４Ｌ、３６４Ｒのみを視認可能とする場合とは異なる演出効果を生み出すことができる。
【図面の簡単な説明】
【０１１３】
【図１】本発明の一実施形態に係るパチンコ機を示す正面図である。
【図２】図１のパチンコ機における内枠、ガラス枠、及び遊技盤を示す正面側から見た斜視図である。
【図３】本発明の一実施形態に係る遊技盤と、表示装置及びセンター飾りを示す分解斜視図である。
【図４】本発明の一実施形態に係る表示装置とセンター飾りの組立状態を示す斜視図である。
【図５】本発明の一実施形態に係る表示装置を示す分解斜視図である。
【図６】本発明の一実施形態に係る表示装置のケーシング内に収容される部品を示す分解斜視図である。
【図７】図６における表示機、ベルトドライブ機構、及びタイミングベルトを示す分解斜視図である。
【図８】本発明の一実施形態に係る表示装置とセンター飾りの組立状態を示す正面図である。
【図９】図８における表示機、固定ローラーユニット、及び可動ローラーユニット２９０の分解状態を示す正面図である。
【図１０】図９の表示機、固定ローラーユニット、及び可動ローラーユニット２９０の組立状態を示す右側面図である。
【図１１】図９の表示機、固定ローラーユニット、及び可動ローラーユニット２９０の組立状態を示す下面図である。
【図１２】図９の１２−１２線断面図である。
【図１３】本発明の一実施形態に係る固定ローラーユニットを示す斜視図である。
【図１４】本発明の一実施形態に係る可動ローラーユニットを示す斜視図である。
【図１５】本発明の一実施形態に係る可動ローラーユニットを示す分解斜視図である。
【図１６】本発明の一実施形態に係る表示装置の図柄表示領域における図柄の停止位置を模式的に示す説明図である。
【図１７】（Ａ）、（Ｂ）は本発明の一実施形態に係る表示体に設けられた図柄を示す正面図である。
【図１８】（Ａ）〜（Ｄ）は本発明の一実施形態に係る図柄が変動表示される様子を示す動作説明図である。
【図１９】（Ａ）〜（Ｃ）は本発明の一実施形態に係る表示装置において大当り又はリーチの発生率を変更する方法を示す説明図である。
【図２０】（Ａ）、（Ｂ）は本発明の一実施形態に係る図柄の２種類の変動表示方法を示す説明図である。
【図２１】（Ａ）、（Ｂ）は本発明の一実施形態に係る表示体に設けることができる図柄を示す説明図である。
【符号の説明】
【０１１４】
１０          パチンコ機（遊技機）
１００        遊技盤
１００Ａ      盤面
１００Ｂ      裏面
１０１        遊技領域
２００        表示装置
２０９        空洞部
２２０        表示機（回転表示機）
２２０Ａ      表表示機（回転表示機）
２２０Ｂ      裏表示機（回転表示機）
２４０        表示体回転ギア（連動手段）
２５０        表示体（回転体）
２５４        中間ギア（連動手段）
２６０        固定ローラーユニット（支持手段）
２９０        可動ローラーユニット（支持手段）
３３０        ベルトドライブ機構
３３２Ａ      ステッピングモーター（駆動手段）
３３２Ｂ      ステッピングモーター（駆動手段）
３４６Ａ      固定ギア（連動手段）
３４６Ｂ      固定ギア（連動手段）
Ｈ１          軸線（第１回転軸線）
Ｈ２          軸線（第２回転軸線／中心軸線）
Ｘ            図柄（識別情報）
Ｘ１          図柄（識別情報）
Ｘ２          図柄（識別情報）
【図１】
2006006806.tif 000003
【図２】
2006006806.tif 000004
【図３】
2006006806.tif 000005
【図４】
2006006806.tif 000006
【図５】
2006006806.tif 000007
【図６】
2006006806.tif 000008
【図７】
2006006806.tif 000009
【図８】
2006006806.tif 000010
【図９】
2006006806.tif 000011
【図１０】
2006006806.tif 000012
【図１１】
2006006806.tif 000013
【図１２】
2006006806.tif 000014
【図１３】
2006006806.tif 000015
【図１４】
2006006806.tif 000016
【図１５】
2006006806.tif 000017
【図１６】
2006006806.tif 000018
【図１７】
2006006806.tif 000019
【図１８】
2006006806.tif 000020
【図１９】
2006006806.tif 000021
【図２０】
2006006806.tif 000022
【図２１】
2006006806.tif 000023